(57)【特許請求の範囲】
【請求項１】
複数の容器が一単位として集積包装されたマルチパックに取り付ける表示物であって、前記マルチパックの包装箱の天面板に係止するための係止部と表示板を有し、前記天面板に係止し、上から押圧すると前記表示板が前記天面板に対して平坦になり、前記天面板に重ね合わされる底面板と、前記底面板の一端と前記表示板の上端の間に連設される折込板とを有し、前記折込板の折り込みが延びて平坦に戻ろうとすることによって押圧を解除すると前記表示板が起き上がることを特徴とする表示物。
【請求項２】
前記係止部には、突起部が設けられ、該突起部が前記天面板に設けられた貫通孔からなる吊手孔に嵌合して係止されることを特徴とする請求項１に記載の表示物。
【請求項３】
前記底面板の反対の端部が、前記係止部に接続していることを特徴とする請求項１または２に記載の表示物。
【請求項４】
前記表示板の下端が前記係止部に接続していることを特徴とする請求項１から３のいずれか１項に記載の表示物。
【発明の詳細な説明】
【技術分野】
【０００１】
本発明は、表示物に関するものである。より詳しくは、販売促進のためにマルチパックの上に取り付ける表示物に関するものである。
【背景技術】
【０００２】
缶入りのビールやコーヒーなどを半ダース等の複数個を一単位として集積包装されたマルチパックがスーパーマーケットあるいは量販店などで販売されている。このようなマルチパックの包装箱には、天面板、底面板、前面板、背面板からなり、天面板にそれぞれに指を入れて持つための左右方向に２つの吊手孔が設けられているものが多くある。
【０００３】
販売促進のために、店舗で積み重ねられたマルチパックの最上段のマルチパックの上に、ＰＯＰ情報などを表示した表示物を設置することがある。通常、この設置作業を行うのは、店舗の店員であるが、店員への指示が徹底されない場合があり、うまく表示物が設置されない事態が起こりうる。
【０００４】
また、顧客は最上段のマルチパックから順に購入するが、最上段のマルチパックが除かれた２段目のマルチパックには表示物が設置されていないので、その都度、表示物を設置する必要がある。一方、表示物をマルチパックなどの上に設置には、接着剤（粘着剤）を用いる場合が多い。
【０００５】
例えば、特許文献１には、ＰＯＰラベルなどの表示物になる接着シートであって、基材シートと、当該基材シートの一方の面における少なくとも一部の領域に積層された接着剤層とを備え、当該接着剤層を介して被着体に貼付される接着シートであって、前記被着体の被着面に沿って接着可能な接着部と、 前記被着体に貼付された状態で前記被着面と交差して起立可能な起立部と、前記被着面と交差した前記被着体の他の面に接触可能に設けられて前記起立部の起立状態を維持する起立維持部とを備えた接着シートが開示されている。
【０００６】
この接着シートでは、剥離紙を剥がして、マルチパックなどの上面と接着シートとの位置あわせして貼るなどの手間もかかり、その都度、店舗の店員が表示物を設置するのは難しい。
【０００７】
公知文献を以下に示す。
【先行技術文献】
【特許文献】
【０００８】
【特許文献１】特開２０１２−２３０１８２号公報
【発明の概要】
【発明が解決しようとする課題】
【０００９】
本発明は上記のような事情に鑑みてなされたもので、取り付けるのが容易で、マルチパックの上に表示板が起き上がった状態で保持され、マルチパックを更に上に積み重ねたとき表示板が平坦になり、積み重ねたマルチパックを取り除くと表示板が起き上がる表示物を提供することを課題としている。
【課題を解決するための手段】
【００１０】
本発明は係る課題に鑑みなされたものであり、請求項１の発明は、複数の容器が一単位として集積包装されたマルチパックに取り付ける表示物であって、前記マルチパックの包装箱の天面板に係止するための係止部と表示板を有し、前記天面板に係止し、上から押圧すると前記表示板が前記天面板に対して平坦になり、前記天面板に重ね合わされる底面板と、前記底面板の一端と前記表示板の上端の間に連設される折込板とを有し、前記折込板の折り込みが延びて平坦に戻ろうとすることによって押圧を解除すると前記表示板が起き上がることを特徴とする表示物である。
【００１１】
本発明の表示物は、以上のような構成であって、上から押圧すると表示板が天面板に対して平坦になり、押圧を解除すると表示板が起き上がるので、表示物を上に係止したマルチパックの上にマルチパックを更に積み重ねても、下のマルチパックの表示板は平坦になり積み重ねることができ、上に積み重ねたマルチパックを取り除くと、下のマルチパックの表示物の表示板が起き上がり、アイキャッチ効果がある。また、係止して取り付けるので、取り付け自体も容易にできる。
また、表示板が起き上がる機構が、天面板に重ね合わされるように設けた底面板の一端と表示板の上端の間に折込板を設け、折込板の折り込みが延びて平坦に戻ろうとすることを利用するので、構造が簡単で、別部材を用いる必要もなく、１枚のシートで表示物が形成できる。
【００１２】
本発明の請求項２の発明は、前記係止部には、突起部が設けられ、該突起部が前記天面板に設けられた貫通孔からなる吊手孔に嵌合して係止されることを特徴とする請求項１に記載の表示物である。
【００１３】
本発明は、係止を係止部に設けられた突起部をマルチパックの包装箱の天面板に設けられた吊手孔に嵌合させるだけであるので、極めて簡単に係止することができる。
【００１６】
本発明の請求項３の発明は、前記底面板の反対の端部が、前記係止部に接続していることを特徴とする請求項１または２に記載の表示物である。
【００１７】
本発明は、底面板の反対の端部が、前記係止部に接続しているので、底面板がマルチパックの包装箱の天面板に安定して重ねあわされていて、ずれにくい。
【００１８】
本発明の請求項４の発明は、前記表示板の下端が前記係止部に接続していることを特徴とする請求項１から３のいずれか１項に記載の表示物である。
【００１９】
本発明は、表示板の下端が係止部に接続しているので、表示板が包装箱に安定して取り付けられ、ずれにくい。
【発明の効果】
【００２０】
本発明の表示物は、係止して取り付けるので取り付けるのが容易で、マルチパックの上に表示板が起き上がった状態で保持されアイキャッチ効果があり、マルチパックを更に上に積み重ねたとき表示板が平坦になり、積み重ねたマルチパックを取り除くと表示板が起き上がるので、あらかじめ積み重ねる前に取り付けておくことができる。
【図面の簡単な説明】
【００２１】
【図１】本発明の表示物の一例を模式的に斜視で示した説明図である。
【図２】本発明の表示物の一例をマルチパックに取り付けた状態を模式的に斜視で示した説明図である。
【図３】本発明の表示物の一例の展開図である。
【図４】本発明の表示物の一例の製造方法を説明するための模式図である。
【発明を実施するための形態】
【００２２】
以下、本発明を実施するための形態について説明する。
図１は、本発明の表示物の一例を模式的に斜視で示した説明図、図２は、本発明の表示物の一例をマルチパックに取り付けた状態を模式的に斜視で示した説明図である。
【００２３】
本例の表示物１００は、図１の斜視図に示すように、表示板１に折罫を介して、係止部２が連設されて接続している。また、係止部２にはその左右両端に突起部２ａ、２ａが設けられている。尚、図示しないが表示板１には、商品名や価格、キャッチコピー、説明文、イラストなどのＰＯＰ情報が表示されている。
【００２４】
また、表示物１００には、底面板３が設けられ、底面板３の一端と表示板１の上端の間に折込板４が連設されている。折込板４は２つに折り曲げられ、中央部分が谷折りされ内方に折り込まれている。
【００２５】
図２は、表示物１００をマルチパックに取り付けた状態である。すなわち、マルチパックの包装箱２００の天面板２１に設けられたた貫通孔からなる吊手孔２１ａ、２１ａに、係止部２の突起部２ａ、２ａを差し込んで嵌合させて、表示物１００が係止されている。
【００２６】
このとき、底面板３は、包装箱２００の天面板２１に重ね合わされていて、表示板１は、底面板３との間に連設された折込板４が折り込まれているのが延びて平坦に戻ろうとするので、持ち上げられて起き上がっている。
【００２７】
このようになっているので、表示物１００が係止されているマルチパックの上に更にマルチパックを積み重ねると、その重さで上から押圧され、折込板４が折り込まれ、表示板１が天面板２１に対して平坦になる。そして、上のマルチパックが取り除かれると、押圧が解除されて、折り込まれた折込板４が延びて平坦に戻ろうとするので、表示板１が起き上がる。
【００２８】
係止部２の突起部２ａは、係止部２の本体部分との接続部分の折罫の両端部より狭まるように傾斜する２本の折罫が設けられている。このため、この傾斜する折罫を折るようにして、吊手孔２１ａに差し込むことができるので、吊手孔２１ａの幅より広い幅の突起部２ａを差し込むことができる。
【００２９】
また、この折った突起部２ａが平らに戻ろうとすることによって、差し込んだ突起部２ａが吊手孔２１ａから抜けなくなり、しっかりと係止され、容易に外れてしまうことがない。
【００３０】
以下、本例の表示物の製造方法について説明する。
図３は、本発明の表示物の一例の展開図、図４は、本発明の表示物の一例の製造方法を説明するための模式図である。図の１点鎖線、２点鎖線は折罫であり、１点鎖線は山折り、２点鎖線は谷折りである。
【００３１】
本例の表示物１００は、図３の展開図のようなブランクを折って、必要に応じて貼着して形成する。ブランクは抜き型を用いた打ち抜き、レーザーを用いたカッティングなどにより形成され、特に形成方法は限定されない。ブランクに用いる材料には、腰があって、折り曲げても戻るような剛性があることが好ましい。また、印刷適性も必要である。
【００３２】
例えば、アート紙、コート紙、合成紙、あるいは、プラスチックシートを用いることができる。また、これらを積層して用いることもできる。更には、アイキャッチ効果を高めるために金属蒸着層を設けてもよい。冷蔵庫に保管される可能性があるので、耐水性を有することが好ましい。
【００３３】
ブランクは、図３に示すように、上から底面板３、折込板４、表示板１が設けられ、表示板１の下端部に係止部２が設けられ、係止部２の左右には突起部２ａ、２ａが設けられている。また、底面板３の上端部の左右中央には、上に飛び出した部分があり、この部分は、係止部２と貼着される貼着部５になっている。
【００３４】
貼着部５と底面板３の間は平らになっていて折罫などは設けられていない。底面板３が包装箱２００の天面板２１に重なり合うときに、貼着部５も天面板２１に重なり合うようになる。
【００３５】
このブランクを折込板４の上下中央にある２点差線で示す折罫で、ブランクの外面どうしが対向するように折り、次に、折込板４と底面板３の間の折罫と、折込板４と表示板１の間の折罫で反対側に折り、ブランクの外面が外に出るようにして折り込んだ状態で固定し、貼着部５と係止部２とが重なった部分を接着剤などで貼着する。これにより、折込板４は係止部２に接続される。
【００３６】
これを底面板３側から見ると、図４のような折り込まれた表示物１００ができる。この折り込んだ状態での固定を外すと、図１に示すような、折込板４により底面板３と表示板１が開いた表示物１００ができる。
【００３７】
そして、この表示物１００の突起部２ａ、２ａを下に折り下げて、斜めの折罫で曲げながら、マルチパックの包装箱２００の天面板２１の吊手孔２１ａ、２１ａに差し込む。差し込むと斜めの折罫での曲がりは解消されるので、突起部２ａ、２ａの幅は吊手孔２１ａ、２１ａの幅より広いので、抜け出ることがなくしっかりと係止される。
【００３８】
そして、底面板３は、包装箱２００の天面板２１に重なり合うので、水平になり、表示板１は折込板４で押し上げられているので、起き上がっている。そして、上から表示物１００が押圧されると、折込板４がより折り込まれて、表示板１が天面板２１に対して平坦になる。
【００３９】
本例の表示物１００は、以上のように、マルチパックの上に取り付け、マルチパックを更に上に積み重ねたとき表示板が平坦になり、積み重ねたマルチパックを取り除くと表示板が起き上がるようになっている。
【００４０】
また、取り付けるのも容易であり、しっかりと係止することができる。また、表示物１００はマルチパックの上に取り付けたままでも、平坦にできるので、あらかじめ取り付けておいて、店舗などに搬入することもできる。
【００４１】
本発明の表示物はこれに限ることなく、例えば、折込板４の谷折りを増やして、山折り、谷折り、山折り、谷折り、山折りと繰り返してもよい。更にはもっと増やしてもかまわない。あるいは、折込板４を止めて、表示板１と底面板３の間に発条を設けて、表示板１と底面板３の間が開くようにしてもよい。
【００４２】
また、係止部２に突起部２ａ、２ａを設けず、両面粘着テープなどを用いて、接着により取り付けてもかまわない。
【符号の説明】
【００４３】
１００・・・表示物
１・・・表示板
２・・・係止部
２ａ、２ａ・・・突起部
３・・・底面板
４・・・折込板
５・・・貼着部
２００・・・包装箱
２１・・・天面板
２１ａ・・・吊手孔
【図１】
0006350464.tif 000002
【図２】
0006350464.tif 000003
【図３】
0006350464.tif 000004
【図４】
0006350464.tif 000005